(57)【要約】【課題】１種類ないし僅かな種類を用意するだけで、種々の径の長尺物に対応できる長尺物識別具を提供する。【解決手段】長尺物識別具１１は通信ケーブル等の長尺物８にその識別のために取り付けられる。長尺物識別具１１の本体部１２は、識別表示のための表示面１２ａと取り付け時に長尺物に当てられる当接面１２ｂとを持つ。本体部１２の当接面１２ｂの両側にそれぞれ複数の突起１３を一体に設ける。本体部１２の当接面１２ｂに長尺物８を当て、取り付け用の紐９を左右の突起１３に交互に引っ掛け回して、当該長尺物識別具１１を長尺物８に取り付ける。紐９で取り付けるので、広い範囲の長尺物径に対応可能である。紐９が長く延びないので、絡まったりせず、取り付け作業が容易である。長尺物に直接接触させるので、嵩張らず取り付け作業上の邪魔にならない。【選択図】　　　図２
2004070150.tif 000002
【特許請求の範囲】
【請求項１】
電線や光ファイバケーブル等の長尺物にその識別のために取り付ける長尺物識別具であって、
識別表示のための表示面と取り付け時に長尺物に当てられる当接面とを備えた本体部と、前記当接面に長尺物を当てた時に当該長尺物に沿ってその両側に並ぶように前記本体部と一体に設けられた、取り付け用の紐を左右交互に引っ掛け回すための複数の突起とを備えたことを特徴とする長尺物識別具。
【請求項２】
前記突起列の長尺物長手方向両側位置に、長尺物を左右から囲むガイド片を本体部と一体に設けたことを特徴とする請求項１記載の長尺物識別具。
【請求項３】
前記本体部と各突起と各ガイド片との全体を樹脂で一体成形したことを特徴とする請求項１記載の長尺物識別具。
【発明の詳細な説明】
【０００１】
【発明に属する技術分野】
この発明は、電線や光ファイバケーブル等の種々の長尺物にその識別のために取り付ける長尺物識別具に関し、特に、通信設備の識別管理（配線識別管理）を行うために通信ケーブルに取り付ける識別具として適用して好適な長尺物識別具に関する。
【０００２】
【従来の技術】
一般に、通信ケーブルを成端する時、識別管理のため、すなわち個々の通信ケーブルの種類や回線番号等を識別するための識別札を取り付けるが、従来はこの種の識別札として図１３のような丸札１が用いられている。丸札１とは、プラスチックの円形の板に紐２を結びつけたものであり、この丸札１にケーブル種類・回線番号その他の必要な情報を書き込んでから、紐２を通信ケーブルに結び付けて、識別管理に利用している。なお、板の形状が円形でなく長円状の場合もあるが、これも丸札と呼ぶ。
【０００３】
【発明が解決しようとする課題】
上記の通り、従来の丸札１は紐２でケーブルに結び付けて固定する。この紐２の長さは、種々のケーブル径に対応できるように、また結ぶ作業がし易いようにある程度長くするが、紐２が他の丸札や他のケーブルと絡むことを防ぐために、通常、丸札１を保持するためのホルダ（ないし治具）を設け、このホルダに各丸札１を保持している。このホルダによって各丸札１を整然と保持できるが、一方で、ホルダのスペースが必要となるので、機器のコンパクト化の要求に対応するためにはホルダを用いない方法が望ましい。特に、管理するケーブルの数が増えると、ホルダのスペースを不要とすることが望まれる。
【０００４】
上記の丸札１を用いた場合に必要となるホルダを不要とするため、本願出願人は先に、情報を書き込んだバーコード等のシールを表面に貼り付けた小さなプラスチック成形品である識別管理用のタグ（長尺物識別具）を発明し特許出願をした（特願２００２−２０３１９３号）。このタグは、そのプラスチック弾性を利用してケーブルに横から直接、緊密に嵌め込んで取り付けるという、緊密嵌合構造である。このタグは、紐を用いないので、紐が絡まることを防ぐホルダ等は不要であり、またそれ自体サイズも小さいので場所を占めず、機器のコンパクト化の制約とならない。
【０００５】
しかし、上記タグにも欠点がある。それは、ケーブル径が変わると、その径に対応したタグが必要となってしまうことである。そのため、金型費用等の物品コストが、対応しなければならないケーブル径の数だけかかってしまうという問題がある。
【０００６】
本発明は上記事情に鑑みてなされたもので、紐が絡まることを防ぐためのホルダ等が不要で機器のコンパクト化の制約とならず、長尺物の径に応じてサイズを複数種類用意する必要がなく、１種類ないし僅かの種類のみで種々の長尺物径に対応可能な長尺物識別具を提供することを目的とする。
【０００７】
【課題を解決するための手段】
上記課題を解決する本発明は、電線や光ファイバケーブル等の長尺物にその識別のために取り付ける長尺物識別具であって、
識別表示のための表示面と取り付け時に長尺物に当てられる当接面とを備えた本体部と、前記当接面に長尺物を当てた時に当該長尺物に沿ってその両側に並ぶように前記本体部と一体に設けられた、取り付け用の紐を左右交互に引っ掛け回すための複数の突起とを備えたことを特徴とする。
【０００８】
請求項２は、請求項１の長尺物識別具において、突起列の長尺物長手方向両側位置に、長尺物を左右から囲むガイド片を本体部と一体に設けたことを特徴とする。
【０００９】
請求項３は、請求項１又は２の長尺物識別具における本体部と各突起と各ガイド片との全体を樹脂で一体成形したことを特徴とする。
【００１０】
【発明の実施の形態】
図１は本発明の一実施形態の長尺物識別具１１を識別表示用の表示面１２ａ側から見た斜視図、図２はその反対側（長尺物当接面１２ｂ側）から見た斜視図、図３は正面図、図４は平面図、図５は図４のＡ−Ａ断面図、図６は図４のＢ−Ｂ断面図、図７は当該長尺物識別具１１を長尺物８に紐９で取り付けた状態の平面図、図８は同断面図である。この長尺物識別具１１は、例えば、電線又は光ファイバケーブル等の長尺物８にその識別のために取り付ける識別具である。
【００１１】
この長尺物識別具１１は、識別表示のための表示面１２ａと取り付け時に長尺物８に当てられる当接面１２ｂとを備えた本体部１２と、前記当接面１２ｂに長尺物８を当てた時に当該長尺物８に沿ってその両側に並ぶ複数の突起１３とを備えている。また、前記左右の突起１３の列の長尺物長手方向（図３、図４で左右方向）の両側位置に、長尺物８を左右から囲むガイド片１４を設けている。この長尺物識別具１１は、樹脂一体成形によるプラスチック成形品であって、本体部１２と各突起１３と各ガイド片１４との全体が一体成形されている。
【００１２】
前記本体部１２は概ね平板状で、長手方向（図３、図４の左右方向（長尺物長手方向と同じ））の両側部分がテーパ状に内向きに狭まる輪郭を持つが、当接面１２ｂの両側に隆起部１２ｃを持ち、当接面１２ｂと左右の隆起部１２ｃとが、長尺物８を収容する溝状になっている。本体部１２の表示面１２ａには、長尺物８の情報、例えば通信ケーブルであればその種類や回線番号等の情報が表示される。図示例はケーブル情報を記載した二次元バーコードのシール１５を貼り付けた例である。
前記突起１３は、図５、図６にも示すように、本体部１２の当接面１２ｂの左右の隆起部１２ｃから外向きに突出する形状であり、図示例では左右それぞれ４つ設けている。
前記ガイド片１４は、プラスチック弾性で左右に撓むことができ、上端部に爪１４ａを備えている。ガイド片１４の爪１４ａは仮止め用であって、必ずしも長尺物８の抜け止めを図るものではない。長尺物８の径が小さい場合には長尺物８の抜け止めの作用をしないが、やや太い長尺物８の場合は、左右のガイド片１４を押し広げるようにしてガイド片１４間に収容され、爪１４ａが抜け止めの作用もする。この長尺物識別具１１を取り付ける対象の長尺物８の最大径は、図５に記載した長尺物８’ように、左右のガイド片１４間の間隔Ｗ程度であるが、最小径は特に制限はなく、広い範囲の長尺物径に対応可能である。ただし、対象とする長尺物８の径は、長尺物８”で示したように、隆起部１２ｃの高さＨよりある程度大きいことが好ましい。
【００１３】
上記の長尺物識別具１１を長尺物８に取り付ける要領を説明すると、まず、１本の紐９の中間部を長尺物８に複数回巻き付ける。紐９の両端側には十分な長さを残しておく。次いで、長尺物識別具１１の当接面１２ｂを長尺物８に当てる。次いで、図７、図８に示すように、前記紐９を長尺物８の上で左右の突起１３間に靴紐掛け方式で引っ掛け回した後、紐９を締め付けその端部を互いに結ぶ。結び目を９ａで示す。これにより長尺物識別具１１が長尺物８に堅固に固定される。
【００１４】
このように、紐９で固定するものであるから、プラスチック弾性を利用して長尺物に横から緊密に嵌め込んで取り付ける緊密嵌合構造のものと比較して、対応可能な長尺物径の範囲が広い。したがって、例えば通信ケーブルの場合、通常は１種類の長尺物識別具１１のみで種々のケーブル径に対応可能である。仮に１種類でカバーできない場合でも、僅かな種類で対応できる。
【００１５】
上記の実施形態では、長尺物識別具１１の長手方向両側に、長尺物８を左右から囲むガイド片１４を設けたが、このガイド片１４は必ずしも設けなくてもよい。すなわち、図９、図１０に示した長尺物識別具１１Ａのように、単なる平板である本体部１２’の左右部に単に複数の外向きの突起１３’を設けた構造とすることもできる。この構造によっても、前記と概ね同じ要領で、紐９で長尺物８に取り付けることができる。
また、図１１に示した長尺物識別具１１Ｂのように、本体部１２”を平板状でなく、Ｖ形の当接面１２”ｂを持つ形状としてもよい。これにより、長尺物８の径の大小に一層容易に対応できる。
【００１６】
また、長尺物識別具１１を長尺物８に取り付ける際、紐９を長尺物８に予め複数回巻き付けておくことが、堅固な取り付けのために好ましいが、必ずしも、紐９を長尺物８に巻き付けることなく、左右の突起１３間に靴紐掛け方式で掛け回した紐９で長尺物８を当接面１２ｂに強く押し付けることで、取り付けることも可能である。
その場合、紐としてゴムを用いることもできる。ゴム紐の場合は、図１２に示した長尺物識別具１１Ｃのように、輪ゴム（輪状のゴム紐）９’を用いることも可能である。この場合は結ぶ必要がなく、簡単に取り付けができる。
【００１７】
【発明の効果】
本発明の長尺物識別具によれば、表示面と当接面とを備えた本体部の前記当接面の左右両側にそれぞれ複数の突起を設け、紐を前記左右の突起に交互に引っ掛け回して、当該長尺物識別具を長尺物に取り付けるようにしたので、次のような効果を奏する。
▲１▼紐を左右の突起列間に引っ掛け回して、長尺物識別具を長尺物に取り付けるので、紐がフリーに長く延びた状態とはならず、その紐が長尺物に絡まったり、あるいは紐どうしが絡まったりすることは少ない。したがって、長尺物識別具の長尺物への取り付け作業が容易である。
▲２▼長尺物識別具を長尺物に直接接触させて取り付けるので、場所を占めて取り付け作業上の邪魔になることはなく、この点でも長尺物への取り付け作業が容易になる。
▲３▼紐で取り付けるものであるから、広い範囲の長尺物径に対応可能であり、１種類ないし僅かの種類のサイズを用意するだけで済む。
【図面の簡単な説明】
【図１】本発明の一実施形態の長尺物識別具の表示面側から見た斜視図である。
【図２】図１の長尺物識別具の長尺物当接面側から見た斜視図である。
【図３】上記長尺物識別具の正面図である。
【図４】図３の平面図である。
【図５】図４のＡ−Ａ断面図である。
【図６】図４のＢ−Ｂ断面図である。
【図７】上記長尺物識別具を紐で長尺物に取り付けた状態で示した平面図（図４に相当）である。
【図８】上記長尺物識別具を紐で長尺物に取り付けた状態で示した断面図（図６に相当）である。
【図９】本発明の他の実施形態の長尺物識別具を示す平面図である。
【図１０】図９の長尺物識別具の断面図である。
【図１１】図９の長尺物識別具の変形例を示した断面図である。
【図１２】本発明のさらに他の実施形態を示す平面図である。
【図１３】従来の長尺物識別具である丸札の斜視図である。
【符号の説明】
８　長尺物
９　紐
１１　長尺物識別具
１２　本体部
１２ａ　表示面
１２ｂ　当接面
１２ｃ　隆起部
１３　突起
１４　ガイド片
１５　識別用シール
【図１】
2004070150.tif 000003
【図２】
2004070150.tif 000004
【図３】
2004070150.tif 000005
【図４】
2004070150.tif 000006
【図５】
2004070150.tif 000007
【図６】
2004070150.tif 000008
【図７】
2004070150.tif 000009
【図８】
2004070150.tif 000010
【図９】
2004070150.tif 000011
【図１０】
2004070150.tif 000012
【図１１】
2004070150.tif 000013
【図１２】
2004070150.tif 000014
【図１３】
2004070150.tif 000015